(57)【要約】【課題】身体の足先や手、また支柱などに装着できて、線状材の端部を保持し、もう一方の線状材を手で引き寄せて、手と端部保持具の間の線状材に付けた結び目を締め付けて強化する。さらに線状材の仮止め具としての機能を持たせる事により両手を使って釣り用の仕掛け作りなどの作業を可能にする。【解決手段】足先や手、支柱に装着させる環状部（１）と、環状部（１）に接続した環状ワイヤー（２）の左右相対する２本のワイヤーに、２本の貫通穴を持つ金具（３）を通し、金具（３）には図２に示される糸仮止め具（６）を固着する。【選択図】  図１
2004298162.tif 000002
【特許請求の範囲】
【請求項１】
身体の足先や手、また支柱などに装着させる環状部（１）と、環状部（１）に接続した環状ワイヤー（２）の左右相対する２本のワイヤーに、２本の貫通穴を持つ金具（３）を通した線状材の端部保持具。
【請求項２】
金具（３）に線状材の糸仮止め具（６）を固着した請求項目１記載の線状材の端部保持具。
【発明の詳細な説明】
【０００１】
【発明の属する技術分野】
本発明は線状材の端部を保持し、また仮止め用として使用する器具であり、その形状及び使用方法に関する。
【０００２】
【従来の技術】
従来、身体の足先などに装着して使用できる線状材の端部保持具や、線状材を一時的に仮止めできて、両手を使って釣りなどの仕掛け作りができる線状材の糸仮止め具は無かった。
【０００３】
【発明が解決しようとする課題】
従来、釣りなどの仕掛け作りの際、線状材の端部の保持には、身体の足先や手などに直接線状材を巻いたりして作業をしていた。その為に足や手に苦痛を与える問題点があった。
【０００４】
また、線状材に釣り針を結び付けて、その結び目を引き締めて強化する場合には、結び目を境に一方の端部をペンチで挟み、もう一方を手の先に巻き付けて、線状材を両手で左右に開くようにしていた。この場合、引く力が左右方向に２分してしまい、力強く引けないという問題点があった。
【０００５】
そして、釣り用の仕掛けを両手を使って作る場合には、線状材の一方を一時的に仮止めしておく必要があったが、従来そのような足先に装着して線状材を仮止め出来る器具が無かった。
【０００６】
【課題を解決するための手段】
本発明は、足先や手、また支柱などに装着できて、線状材の端部を簡単で保持し、手と端部固定具との間の線状材の結び目を強化できたり、さらに、線状材の一時的な仮止めを可能にする事で、両手を使って釣りなどの仕掛け作りができる器具を提供する事を目的にしている。
【０００７】
上記目的を達成する為に、本発明は足に装着できる環状部に、線状材を取り付けて保持する為の環状のワイヤーと金具を接続し、金具には線状材の糸仮止め具を固着した。
【０００８】
足先に装着できるようにした本発明に、線状材の端部を保持させて、もう一方を両手で、一方向に力を分散する事なく引き寄せられるようにした事で、手と端部固定具との間の線状材の結び目を体全体の力を利用して強く締めつけられるようにした。
【０００９】
金具部に糸仮止め具を固着する事で、線状材の一時的な仮止めが可能になり、釣り用の仕掛けを両手を使って作れるようにした。
【００１０】
【発明の実施の形態】
発明の実施の形態を実施例にもとづき図面を参照して説明する。
図１において本発明は足先や手、支柱に装着させる環状部（１）と、環状部（１）に接続した、環状ワイヤー（２）の左右相対する２本のワイヤーに、２本の貫通穴を持つ金具（３）を通し、金具（３）には図２に示される糸仮止め具（６）が固着する。
（イ）．足先や手などに装着する環状部（１）は、繊維質や皮革の板状ベルト、又はビニールやラバー系の素材で手や足に苦痛を与えないような材質と十分な接触面積を持たせる。
（ロ）．環状ワイヤー（２）は、金具（３）を縦方向に貫通する図４に示される２本の貫通穴（３ａ）を環状するように通す。穴径は、金具（３）が環状ワイヤー（２）を滑り移動できるように環状部ワイヤー（２）の径より少し大きくする。
（ハ）．線状材の通し部（３ｂ）は金具（３）の縦方向の中心線上に位置する。
（ニ）．金具（３）が環状ワイヤー（２）を移動しやすいように、環状ワイヤー（２）にクリップ（５）をつける。
【００１１】
図２で示される実施例では、糸仮止め具（６）は、弾力性のあるゴム系素材を使用し、１面が円弧を持つ環状する形態で、金具（３）の環状する溝（３ｃ）に固着する。
【００１２】
図５で示される実施例では、図１で示す線状材を通す穴（４）に通した線状材を、より強く保持できるように、金具（３）にＵ字型の環状の溝（３ｄ）を持たせている。そうする事で、金具（３）と環状ワイヤー（２）が、線状材を締め付けるにしたがって、環状ワイヤー（２）と線状材が、金具（３）の環状の溝（３ｄ）に入り込み、互いの接する面積が増えていき、抵抗がより大きくなり、線状材を強く締め付けて保持する事が出きるようになる。
【００１３】
図６と図７で示される実施例では、上記の線状材に力が作用する別の方法例として、金具（３）の線状材を通す穴（４）の部分に、環状ワイヤー（２）の弧にそうように円弧状の凸部（３ｅ）をつけたものである。
【００１４】
以下線状材を本発明に保持する方法と、力がどのように作用するかについて説明する。また、図８と図９は使用状態を示す参考図である。
（イ）．環状部（１）を足先や支柱などに輪を通すように装着する。
（ロ）．結び目を持った線状材の端部を金具（３）の線状材の通し部（３ｂ）に正面から奥に向かって通す。
（ハ）．（ロ）で通した線状材を環状ワイヤー（２）と金具（３）でつくる線状材を通す穴（４）に奥から正面手前にくるように通し、穴から少し出す。
（二）．金具（３）を環状ワイヤー（２）の下方向にスライドさせ、線状材を通す穴（４）を小さくして、（ハ）で通した線状材を軽く挟む。
（ホ）．線状材の通し部（３ｂ）から手前に出ているもう片方の線状材を手に持って手前に引き寄せる。そうする事で、金具（３）が環状ワイヤー（２）の下方向に移動する力が働き、線状材を通す穴（４）がより小さくなり、線状材を手前に引き寄せる力に比例して、金具（３）と環状ワイヤー（２）が線状材を強く挟みつけて、端部保持具から外れる事なく保持され、手と端部保持具との間の線状材に付けた結び目を締め付けて強化する。
【００１５】
以下線状材を金具（３）に固着した糸仮止め具（６）に取り付ける方法と力の作用について説明する。
（イ）．上記同様、環状部（１）を足先や支柱などに輪を通すように装着する。
（ロ）．（図２）において、金具（３）に固着した糸仮止め具（６）と金具（３）との間にできた環状するＶ字形の溝（７）に、線状材の一方を金具（３）の円周に沿うように２〜３回巻き付ける。
（ハ）．線状材のもう一方を手に持ち手前に引き寄せると、取り付けた線状材は環状するＶ字形の溝（７）に入り込み、金具（３）と糸仮止め具（６）に押さえ付けられて保持されるので、もう一方の手元の線状材を両手を自由に使って、釣り用の仕掛け作りなどの作業ができる構造になる。
【００１６】
【発明の効果】
本発明は、以上説明したように構成されているので、以下に記載されるような効果を奏する。
【００１７】
本発明を足先や手、支柱に装着し、線状材の端部を簡単にしかも確実に保持でき、取り付けた線状材のもう一方を両手を使って手前一方向に引きよせることができるので、身体全体の力を使って、手と端部保持具との間の線状材の結び目を強く締め付けて強化する事が可能になる。
【００１８】
また、足先や手、支柱に装着した本発明を使い、釣り用の仕掛けを作る作業などにおいて、線状材を環状するＶ字形の溝（７）に巻き付けて一時的に仮止めする事が出来るので、両手を自由に使い手元での線状材の加工作業が可能になる。
【図面の簡単な説明】
【図１】本発明の実施例を示す正面図である。
【図２】本発明の実施例を示す右側面図である。
【図３】本発明の実施例を示す背面図である。
【図４】本発明の実施例を示す底面図である。
【図５】本発明の金具部の実施例を示すＡ−Ａ断面図である。
【図６】本発明の凸部を持った金具部の実施例を示す背面図である。
【図７】本発明の凸部を持った金具部の実施例を示すＢ−Ｂ断面図である。
【図８】使用状態を示す参考図である。
【図９】使用状態を示す参考図である。
【符号の説明】
１  環状部
２  環状ワイヤー
３  金具
３ａ  貫通穴
３ｂ  線状材の通し部
３ｃ、３ｄ環状の溝
３ｅ  円弧状の凸部
４  線状材を通す穴
５  クリップ
６  糸仮止め具
７  環状するＶ字形の溝
８  ミシンの縫い目
【図１】
2004298162.tif 000003
【図２】
2004298162.tif 000004
【図３】
2004298162.tif 000005
【図４】
2004298162.tif 000006
【図５】
2004298162.tif 000007
【図６】
2004298162.tif 000008
【図７】
2004298162.tif 000009
【図８】
2004298162.tif 000010
【図９】
2004298162.tif 000011